(57)【特許請求の範囲】
【請求項１】
スラブにおける柱周りのキャピタル部分の外周部にキャピタル部分用梁材を備えたスラブ構造の施工方法において、
前記キャピタル部分用梁材を地組し、地組したキャピタル部分用梁材を側面型枠にしてコンクリートを打設して、前記キャピタル部分の下層側とキャピタル部分用梁材とを備えたキャピタルユニットを地組ユニットとして構築する第１ステップと、
前記第１ステップで構築した前記地組ユニットを移動させて柱の所定部位に配設する第２ステップと、
前記第２ステップで柱の所定部位に配設した前記地組ユニットの上面側にコンクリートを打設してスラブを構築する第３ステップを備えるスラブ構造の施工方法。
【請求項２】
前記第１ステップにおいて、複数の前記キャピタルユニットと、複数のキャピタルユニット間に亘らせる一般部分用梁材とを地組して、前記地組ユニットとする請求項１に記載のスラブ構造の施工方法。
【請求項３】
前記第１ステップにおいて、複数の前記キャピタルユニットと、前記一般部分用梁材と、前記一般部分用梁材に支持させるスラブ用デッキプレートとを地組して、前記地組ユニットとする請求項２に記載のスラブ構造の施工方法。
【発明の詳細な説明】
【技術分野】
【０００１】
本発明は、コンクリート製のスラブを備えたスラブ構造の施工方法に関する。
【背景技術】
【０００２】
上記スラブ構造として、梁を無くしたフラットスラブ構造が知られている。このフラットスラブ構造では、柱周りにキャピタル部分を備えて、柱周りの補強が成されている（例えば、特許文献１参照。）。
【０００３】
上記特許文献１のフラットスラブ構造では、プレキャストコンクリート製のキャピタルに形成された孔を柱に通して、柱の上端にキャピタルを設置し、その後、スラブのコンクリート打設を行う。しかしながら、スラブのコンクリート打設を行う際に、デッキプレート等の型枠を支持可能な梁が無いため、多数の支保工（仮設支柱）が必要になる等、施工が行い難い。
【０００４】
そこで、本出願人は、施工が行い易くなるスラブ構造を先に出願している（特願２０１４−６５７１１号）。このスラブ構造では、柱を挟んで、梁側面を対向させて一対の梁材を配置し、柱と一対の梁材の梁側面との間にコンクリートを打設してキャピタルを形成し、一対の梁材に支持されるスラブをコンクリート打設する。キャピタルを形成する際には、一対の梁材にデッキプレート等の型枠を支持させるとともに、一対の梁材を側面型枠として用いることができ、スラブのコンクリート打設を行う際にも、デッキプレート等の型枠を一対の梁材にて支持できることから、施工が行い易くなる。
【先行技術文献】
【特許文献】
【０００５】
【特許文献１】特開平６−５７８６５号公報
【発明の概要】
【発明が解決しようとする課題】
【０００６】
しかしながら、省人化や工期短縮等の要望から、施工手順の面からも更なる施工性の向上が望まれる。
【０００７】
この実情に鑑み、本発明の主たる課題は、施工性の向上が図れるスラブ構造の施工方法を提供する点にある。
【課題を解決するための手段】
【０００８】
本発明の第１特徴構成は、スラブにおける柱周りのキャピタル部分の外周部にキャピタル部分用梁材を備えたスラブ構造の施工方法において、
前記キャピタル部分用梁材を地組し、地組したキャピタル部分用梁材を側面型枠にしてコンクリートを打設して、前記キャピタル部分の下層側とキャピタル部分用梁材とを備えたキャピタルユニットを地組ユニットとして構築する第１ステップと、
前記第１ステップで構築した前記地組ユニットを移動させて柱の所定部位に配設する第２ステップと、
前記第２ステップで柱の所定部位に配設した前記地組ユニットの上面側にコンクリートを打設してスラブを構築する第３ステップを備える点にある。
【０００９】
本構成によれば、第１ステップでは、キャピタル部分の下層側とキャピタル部分用梁材とを備えたキャピタルユニットを地組により構築するので、高所作業の削減を図りながら、キャピタルユニットを容易に且つ効率よく構築できる。また、キャピタルユニットの構築に当たり、底型枠等の支持にキャピタル部分用梁材を用いるとともに、キャピタル部分用梁材自体も側面型枠として用いて、コンクリート打設できる。また、第３ステップでは、柱の所定部位に地組ユニットが配設されているので、底型枠等の支持に地組ユニットを用いるとともに、地組ユニットを底型枠の一部として用いて、スラブのコンクリート打設を行える。以上のことから、高所作業の削減を図りながら、キャピタル部分用梁材や地組ユニットを利用して、スラブ構造を容易に且つ効率よく構築でき、施工性の向上を効果的に図れる。
【００１０】
本発明の第２特徴構成は、前記第１ステップにおいて、複数の前記キャピタルユニットと、複数のキャピタルユニット間に亘らせる一般部分用梁材とを地組して、前記地組ユニットとする点にある。
【００１１】
本構成によれば、第１ステップにおいて、キャピタルユニットだけではなく、一般部分用梁材をも地組して、地組ユニットを構築するので、高所作業の削減を図りながら、地組ユニットを容易に且つ効率よく構築できる。しかも、複数のキャピタルユニットを含めて１つの地組ユニットとするので、１つの地組ユニットを所望位置に配設させるだけで、複数のキャピタルユニットを所望位置に配設でき、キャピタルユニットの揚重の面からも施工性の向上が図れる。
【００１２】
本発明の第３特徴構成は、前記第１ステップにおいて、複数の前記キャピタルユニットと、前記一般部分用梁材と、前記一般部分用梁材に支持させるスラブ用デッキプレートとを地組して、前記地組ユニットとする点にある。
【００１３】
本構成によれば、第１ステップにおいて、キャピタルユニット及び一般部分用梁材に加えて、スラブ用デッキプレートも地組して、地組ユニットを構築するので、高所作業の削減を図りながら、地組ユニットを容易に且つ効率よく構築できる。しかも、スラブ用デッキプレートを地組することで、一般部分用梁材にて支持させてキャピタルユニット間に亘る安定した状態でスラブ用デッキプレートを設置でき、その後のコンクリート打設を適切に行える。
【図面の簡単な説明】
【００１４】
【図１】スラブ構造の平面図
【図２】キャピタルユニットを示す斜視図
【図３】スラブ構造の施工途中における図１中ＩＩＩ−ＩＩＩでの断面図
【図４】スラブ構造の図１中ＩＶ−ＩＶでの断面図
【図５】別の地組ユニットを構築したときのスラブ構造の平面図
【図６】地組ユニットを示す斜視図
【図７】別の地組ユニットを構築したときのスラブ構造の平面図
【発明を実施するための形態】
【００１５】
本発明に係るスラブ構造の施工方法の実施形態を図面に基づいて説明する。
このスラブ構造１００は、フラットスラブ構造として構成されている。図１に示すように、スラブ構造１００は、柱１と、一般部分としてのコンクリート製のスラブ部分４と、柱１の周囲に配置されたコンクリート製のキャピタル部分５とを備える。スラブ部分４及びキャピタル部分５は、Ｙ方向に沿って延びる第１梁材２とＸ方向に沿って延びる第２梁材３とにより補強されている。ここで、Ｘ方向とＹ方向とは、互いに直交する水平方向に沿う２つの方向である。
【００１６】
柱１は、Ｘ方向及びＹ方向に間隔を隔てて配列されている。柱１は、例えば、円形鋼管等の鉄骨柱とされている。柱１は、鉄骨柱に限らず、鉄筋コンクリート柱、鉄骨鉄筋コンクリート柱、コンクリート充填鋼管柱等、各種の柱を適用可能である。
【００１７】
第１梁材２は、例えば、Ｈ形鋼材を適宜接合して構成され、柱１をＸ方向で挟んで対向して一対配置されている。Ｙ方向に並ぶ複数の柱１の夫々に対して一対の第１梁材２が配置されている。第１梁材２は、Ｘ方向で対向するキャピタル部分５の外周部に配置された一対の第１キャピタル部分用梁材２ａと、Ｙ方向に並ぶキャピタル部分５間に亘って配置された一対の第１一般部分用梁材２ｂとを有する。
【００１８】
第２梁材３は、例えば、Ｈ形鋼材を適宜接合して構成され、柱１をＹ方向で挟んで対向して一対配置されている。Ｘ方向に並ぶ複数の柱１の夫々に対して一対の第２梁材３が配置されている。第２梁材３は、Ｙ方向で対向するキャピタル部分５の外周部に配置された一対の第２キャピタル部分用梁材３ａと、Ｘ方向に並ぶキャピタル部分５間に亘って配置された一対の第２一般部分用梁材３ｂとを有する。
【００１９】
ここで、第１梁材２及び第２梁材３は、Ｈ形鋼材に限らず、例えば、Ｉ形鋼材や角形鋼管等、各種の鋼材を用いることができる。また、第１梁材２及び第２梁材３における鋼材同士の接合については、例えば、鋼材同士にプレートを掛け渡してボルト及びナットにて接合する等、各種の接合方法を適用可能である。
【００２０】
一対の第１キャピタル部分用梁材２ａと一対の第２キャピタル部分用梁材３ａとは、柱１の周囲を囲む平面視で矩形状に配置され、一対の第１キャピタル部分用梁材２ａ及び一対の第２キャピタル部分用梁材３ａがキャピタル部分用梁材として構成されている。一対の第１一般部分用梁材２ｂは、一対の第１キャピタル部分用梁材２ａに連続して備えられ、Ｙ方向で並ぶ一対の第１キャピタル部分用梁材２ａ間に亘らせて配置されている。一対の第２一般部分用梁材３ｂは、一対の第２キャピタル部分用梁材３ａに連続して備えられ、Ｘ方向で並ぶ一対の第２キャピタル部分用梁材３ａ間に亘らせて配置されている。一対の第１一般部分用梁材２ｂ及び一対の第２一般部分用梁材３ｂが一般部分用梁材として構成されている。このように、第１梁材２と第２梁材３とは平面視にて井桁状に配置されている。
【００２１】
また、第２梁材３として、第１一般部分用梁材２ｂ同士の間に第３一般部分用梁材７が配設されている。第３一般部分用梁材７は、Ｘ方向で並ぶ第１一般部分用梁材２ｂのうち、第１一般部分用梁材２ｂ同士の間隔が大きな箇所に配設されている。ちなみに、第１一般部分用梁材２ｂ同士の間隔が小さな箇所にも、第３一般部分用梁材７を配設可能である。
【００２２】
キャピタル部分５は、図４に示すように、スラブ部分４の下面部よりも下方側に突出する状態でスラブ部分４の厚みよりも厚くして、柱１とスラブ部分４との接合部分を補強している。キャピタル部分５は、キャピタル部分５の下層側部位５ａと一対の第１キャピタル部分用梁材２ａと一対の第２キャピタル部分用梁材３ａとを有するキャピタルユニット６（図１中実線部分参照）と、そのキャピタルユニット６の上面側にコンクリート打設されたキャピタル部分５の上層側部位５ｂとから構成されている。
【００２３】
一対の第１キャピタル部分用梁材２ａ及び一対の第２キャピタル部分用梁材３ａによってキャピタル部分５が補強されているので、キャピタル部分５の厚みを極力薄くすることができ、キャピタル部分５の軽量化を図れる。第１キャピタル部分用梁材２ａ及び第２キャピタル部分用梁材３ａの上面や側面には、スタッド１１が配設されている。
【００２４】
以下、スラブ構造１００の施工方法について説明する。
まず、図２に示すように、一対の第１キャピタル部分用梁材２ａと一対の第２キャピタル部分用梁材３ａとを地組し、地組した一対の第１キャピタル部分用梁材２ａ及び一対の第２キャピタル部分用梁材３ａを側面型枠にしてコンクリートを打設し、キャピタル部分５の下層側部位５ａと第１キャピタル部分用梁材２ａと第２キャピタル部分用梁材３ａとを有するキャピタルユニット６を地組ユニットＪとして構築する第１ステップを行う。
【００２５】
第１ステップでは、一対の第１キャピタル部分用梁材２ａと一対の第２キャピタル部分用梁材３ａとを組立ヤード等で地組することで、平面視で矩形状の枠部分を有する梁材を構成する。枠部分において、一対の第１キャピタル部分用梁材２ａ及び一対の第２キャピタル部分用梁材３ａの夫々における下フランジにてキャピタル用デッキプレート８の端部を支持して、一対の第１キャピタル部分用梁材２ａ及び一対の第２キャピタル部分用梁材３ａに亘ってキャピタル用デッキプレート８を掛け渡して配設する。キャピタル用デッキプレート８を底型枠とし、且つ、一対の第１キャピタル部分用梁材２ａ及び一対の第２キャピタル部分用梁材３ａを側面型枠とし、枠部分内にコンクリート打設してキャピタルユニット６を構築する。このとき、キャピタルユニット６の平面視中央部に柱１を挿通自在な挿通口９を形成する。
【００２６】
第１ステップでは、キャピタルユニット６を地組により構築しているので、高所作業の削減を図りながら、キャピタルユニット６を容易に且つ効率よく構築できる。また、キャピタルユニット６の構築に当たり、キャピタル用デッキプレート８の支持に、一対の第１キャピタル部分用梁材２ａ及び一対の第２キャピタル部分用梁材３ａを用いてコンクリート打設することができ、施工性の向上が図れる。
【００２７】
次に、図３に示すように、キャピタルユニット６（地組ユニットＪ）を移動させて柱１の所定部位に配設する第２ステップを行う。この第２ステップでは、キャピタルユニット６の挿通口９に柱１を挿通させて、キャピタルユニット６を柱１の所定部位に移動させ、柱１とキャピタルユニット６とを無収縮モルタル等の各種の接合手段により接合する。そして、図１に示すように、Ｙ方向で並ぶキャピタルユニット６間に亘らせて第１一般部分用梁材２ｂを配設するとともに、Ｘ方向で並ぶキャピタルユニット６間に亘らせて第２一般部分用梁材３ｂを配設する。また、Ｘ方向で並ぶ第１一般部分用梁材２ｂのうち、第１一般部分用梁材２ｂ同士の間隔が大きな箇所には、その第１一般部分用梁材２ｂ同士の間に第３一般部分用梁材７を配設する。ちなみに、一般部分用梁材２ｂ、３ｂ、７の配設をどのタイミングで行うかは施工状況等により適宜変更が可能である。
【００２８】
次に、図４に示すように、キャピタルユニット６（地組ユニットＪ）の上面側にコンクリートを打設してキャピタル部分５の上層側部位５ｂとスラブ部分４を構築する第３ステップを行う。この第３ステップでは、まず、図３に示すように、第１キャピタル部分用梁材２ａ、第２キャピタル部分用梁材３ａ、第１一般部分用梁材２ｂ、第２一般部分用梁材３ｂ、及び、第３一般部分用梁材７の夫々における上フランジにてスラブ用デッキプレート１０の端部を支持して、第１キャピタル部分用梁材２ａ、第２キャピタル部分用梁材３ａ、第１一般部分用梁材２ｂ、第２一般部分用梁材３ｂ、及び、第３一般部分用梁材７に掛け渡してスラブ用デッキプレート１０を配設する。そして、図４に示すように、キャピタルユニット６及びスラブ用デッキプレート１０の上面側に鉄筋１２を配筋し、スラブ用デッキプレート１０及びキャピタルユニット６を底型枠とし、キャピタルユニット６及びスラブ用デッキプレート１０の上面側にコンクリート打設して、キャピタル部分５の上層側部位５ｂとスラブ部分４を構築する。このとき、パイプサポート等の支保工にて必要箇所を適宜支持しながら、コンクリート打設を行っても良い。
【００２９】
第３ステップでは、スラブ用デッキプレート１０の支持に、第１キャピタル部分用梁材２ａ、第２キャピタル部分用梁材３ａ、第１一般部分用梁材２ｂ、第２一般部分用梁材３ｂ、及び、第３一般部分用梁材７の夫々を用いるとともに、キャピタルユニット６を底型枠として用いてコンクリート打設することができ、施工性の向上が図れる。
【００３０】
上述の第１ステップでは、図２に示すように、１つのキャピタルユニット６を地組ユニットＪとして構築しているが、複数のキャピタルユニット６を含めて地組ユニットＪを構築することができる。例えば、図５の実線部分及び図６に示すように、Ｙ方向で隣接する２つのキャピタルユニット６を含めて地組ユニットＪを構築できる。
【００３１】
この場合の施工方法では、第１ステップにおいて、複数のキャピタルユニット６と、複数のキャピタルユニット６間に亘らせた第１一般部分用梁材２ｂと、第２一般部分用梁材３ｂに支持させるスラブ用デッキプレート１０とを地組したものを地組ユニットＪとする。
【００３２】
第１ステップでは、図６に示すように、第１キャピタル部分用梁材２ａ、第１一般部分用梁材２ｂ、第１キャピタル部分用梁材２ａを有する１本の梁材を第１梁材２とし、この第１梁材２を所定間隔隔てて対向して配設する。第１梁材２の両端部分における第１キャピタル部分用梁材２ａ間に亘らせて一対の第２キャピタル部分用梁材３ａを配設して、第１梁材２の両端部分に平面視で矩形状の枠部分を有する梁材を構成する。
【００３３】
矩形状の枠部分の夫々において、上述の第１ステップと同様に、一対の第１キャピタル部分用梁材２ａ及び一対の第２キャピタル部分用梁材３ａに亘ってキャピタル用デッキプレート８を掛け渡してコンクリート打設することで、２つのキャピタルユニット６を構築する。そして、一方側のキャピタルユニット６における第２キャピタル部分用梁材３ａと他方側のキャピタルユニット６における第２キャピタル部分用梁材３ａとの夫々、及び、一対の第１一般部分用梁材２ｂにおける上フランジにてスラブ用デッキプレート１０の端部を支持して、２つの第２キャピタル部分用梁材３ａ及び一対の第１一般部分用梁材２ｂ間に掛け渡してスラブ用デッキプレート１０を配設する。これにより、２つのキャピタルユニット６と一対の第１一般部分用梁材２ｂとスラブ用デッキプレート１０とを地組したものを地組ユニットＪとして構築する。スラブ用デッキプレート１０の一部も地組ユニットＪとして地組にて施工することができ、高所作業の削減を効果的に図れ、フラットスラブ構造１００の施工を容易に且つ安全に行え、施工性の向上を効果的に図れる。
【００３４】
第１ステップにおいて、２つのキャピタルユニット６と一対の第１一般部分用梁材２ｂとスラブ用デッキプレート１０とを地組した地組ユニットＪを構築することで、第２ステップにて１つの地組ユニットＪを柱１の所定部位に配設するだけで、２つのキャピタルユニット６と一対の第１一般部分用梁材２ｂとスラブ用デッキプレート１０との配設作業を行える（図３参照）。これにより、スラブ用デッキプレート１０の一部を配設する高所作業を削減することで、スラブ構造１００を容易に且つ効率よく構築できる。
【００３５】
上述の図５及び図６では、Ｙ方向で隣接する２つのキャピタルユニット６を含めて地組ユニットＪを構築したが、図７の実線部分に示すように、Ｙ方向で隣接する２つ及びＸ方向で隣接する２つの合計４つのキャピタルユニット６を含めて地組ユニットＪを構築することも可能である。
【００３６】
図７に示すものでは、４つのキャピタルユニット６、４つのキャピタルユニット６に亘らせる一般部分用梁材２ｂ、３ｂ、及び、スラブ用デッキプレート１０に加えて、第３一般部分用梁材７も地組にて施工することができ、高所作業の削減を図り、施工性の向上を更に図れる。
【００３７】
以上の如く、何個のキャピタルユニット６を含めて地組ユニットＪを構築するかは適宜変更できる。よって、施工条件等により、地組ユニットＪに含めるキャピタルユニット６の数をある１つに設定して、１種類の地組ユニットＪを構築してスラブ構造１００を施工することができる。また、地組ユニットＪに含めるキャピタルユニット６の数を複数設定して、複数種の地組ユニットＪを構築し、それら複数の地組ユニットＪを組み合わせてスラブ構造１００を施工することもできる。
【００３８】
〔別実施形態〕
（１）上記実施形態では、図５及び図６に示すように、第１ステップにおいて、Ｙ方向で隣接する２つのキャピタルユニット６と一対の第１一般部分用梁材２ｂとスラブ用デッキプレート１０とを地組したものを地組ユニットＪとする場合を例示した。これに代えて、Ｘ方向で隣接する２つのキャピタルユニット６と一対の第２一般部分用梁材３ｂとスラブ用デッキプレート１０とを地組したものを地組ユニットＪとすることもできる。
【００３９】
（２）上記実施形態では、第１梁材２及び第２梁材３の両方を備えた例を示したが、第１梁材２及び第２梁材３の一方のみを備えることもできる。図２では、キャピタルユニット６として、一対の第１キャピタル部分用梁材２ａと一対の第２キャピタル部分用梁材３ａとを備えて、平面視で矩形状の枠部分を形成している。これに代えて、キャピタルユニット６として、対向して配置する一対の第１キャピタル部分用梁材２ａのみ、又は、対向して配置する一対の第２キャピタル部分用梁材３ａのみを備えることができる。また、図６においても、地組ユニットＪとして、４つの第２キャピタル部分用梁材３ａを省略して、対向して配置する一対の第１梁材２のみを備える、又は、対向して配置する一対の第１梁材２を省略して、４つの第２キャピタル部分用梁材３ａのみを備えることができる。
【符号の説明】
【００４０】
１        柱
２ａ      第１キャピタル部分用梁材（キャピタル部分用梁材）
２ｂ      第１一般部分用梁材（一般部分用梁材）
３ａ      第１キャピタル部分用梁材（キャピタル部分用梁材）
３ｂ      第２一般部分用梁材（一般部分用梁材）
４        スラブ部分（スラブ）
５        キャピタル部分（スラブ）
５ａ      キャピタル部分の下層側部位
６        キャピタルユニット
１０      スラブ用デッキプレート
Ｊ        地組ユニット
【図１】
0006576204.tif 000002
【図２】
0006576204.tif 000003
【図３】
0006576204.tif 000004
【図４】
0006576204.tif 000005
【図５】
0006576204.tif 000006
【図６】
0006576204.tif 000007
【図７】
0006576204.tif 000008